(57)【特許請求の範囲】
【請求項１】
静止画像の撮影を指示する第１のレリーズ手段と、
時間的に連続した複数の静止画像からなる動画像の撮影の開始および停止を指示する第２のレリーズ手段と、
前記第１のレリーズ手段による指示により撮影された静止画像および前記第２のレリーズ手段による指示により撮影された動画像を所定の記録媒体に記録する記録手段と、
前記第２のレリーズ手段による指示により動画像の撮影が行われている状態で前記第１のレリーズ手段による静止画像の撮影が指示された場合に、前記記録媒体に記録される動画像中の該静止画像の撮影が指示された瞬間の静止画像に識別情報を付加する記録制御手段と、
前記記録媒体に記録された動画像の再生時に前記識別情報が付加されている静止画像のみを順次再生させる制御を行う再生制御手段と、
前記再生制御手段による制御下での再生時に、前記記録媒体に記録されている動画像中の静止画像に付加されている識別情報を該動画像中の他の静止画像に付加する識別情報に変更設定する編集手段と、
を具備したことを特徴とする電子カメラ。
【請求項２】
前記記録媒体に記録されている動画像から、前記識別情報が付加されていない静止画像を一括消去すると共に、残る識別情報が付加されている静止画像をそれぞれ独立した静止画像として前記記録手段により前記記録媒体に更新記録させる整理手段をさらに具備したことを特徴とする請求項１に記載の電子カメラ。
【請求項３】
前記第１のレリーズ手段と前記第２のレリーズ手段は、異なる手指で操作されるべく離間した位置に配設されることを特徴とする請求項１に記載の電子カメラ。
【発明の詳細な説明】
【０００１】
【発明の属する技術分野】
本発明は、ＣＣＤ二次元イメージセンサのような固体撮像素子を用いて撮影を行う電子カメラに係り、特に静止画像のみならず動画像の撮影も可能とした電子カメラに関する。
【０００２】
【従来の技術】
被写体像を撮像光学系により固体撮像素子、例えばＣＣＤ二次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
また、記録媒体として用いられるメモリの容量増大と画像処理速度の向上に伴い、静止画像の撮影のみでなく、時間的にほぼ連続した複数の静止画像を撮影する、いわゆる連写機能を有する電子カメラも開発されている。このような連写機能により、シャッタチャンスを逃すことなく静止画像を撮影することができる。
【０００４】
【発明が解決しようとする課題】
しかし、記録媒体の容量を増大できるようなったとはいえ、電子カメラにおいて連写を行おうとすると、記録媒体に必要な容量が膨大となるか、あるいは連写可能な時間が制限されてしまうことから、静止画像一枚当たりのデータ量を抑える必要があり、高画質を確保することが難しくなる。
【０００５】
また、連写によって得られた多数の静止画像の中から所望の画像を選択した際に、選択されなかった不要な静止画像を消去することが記録媒体の容量を有効に利用する上で必要であるが、そのためには不要な静止画像を一枚ずつ消去する操作を繰り返し実行しなければならない。このような静止画像の個別消去操作は、非常に煩雑であるばかりでなく、不注意で必要な静止画像までも誤って消去してしまう危険性がある。
【０００６】
本発明は、シャッタチャンスを逃すことなく、高画質の静止画像を確実に得ることができ、また簡単な操作で必要な静止画像のみを確実に残すことが可能な電子カメラを提供することを目的とする。
【０００７】
【課題を解決するための手段】
上記の課題を解決するため、本発明は動画像の撮影時に動画像中の所望の静止画像に対して識別情報を付加することにより、動画像の撮影と並行して所望の静止画像を同時に得ることができるようにしたことを骨子としている。
【０００８】
すなわち、本発明に係る電子カメラは、静止画像の撮影を指示する第１のレリーズ手段と、時間的に連続した複数の静止画像からなる動画像の撮影の開始および停止を指示する第２のレリーズ手段と、前記第１のレリーズ手段による指示により撮影された静止画像および前記第２のレリーズ手段による指示により撮影された動画像を所定の記録媒体に記録する記録手段と、前記第２のレリーズ手段による指示により動画像の撮影が行われている状態で前記第１のレリーズ手段による静止画像の撮影が指示された場合に、前記記録媒体に記録される動画像中の該静止画像の撮影が指示された瞬間の静止画像に識別情報を付加する記録制御手段と、前記記録媒体に記録された動画像の再生時に前記識別情報が付加されている静止画像のみを順次再生させる制御を行う再生制御手段と、前記再生制御手段による制御下での再生時に、前記記録媒体に記録されている動画像中の静止画像に付加されている識別情報を該動画像中の他の静止画像に付加する識別情報に変更設定する編集手段とを具備したことを特徴とする。
【０００９】
このような構成により、動画像の撮影時に所望の静止画像も同時に得ることができ、かつその静止画像のみを選択的に表示させることも可能となる。また、動画像は複数のそれぞれ独立した静止画像から構成されており、このように識別情報の付加位置を変更することで、より望ましい静止画像を選択し直すことができるので、シャッタチャンスを逃す可能性が小さくなる。
【００１２】
また、本発明では記録媒体に記録されている動画像から、識別情報が付加されていない静止画像を一括消去すると共に、残る識別情報が付加されている静止画像をそれぞれ独立した静止画像として記録手段により記録媒体に更新記録させる整理手段をさらに具備してもよい。この場合、残る識別情報が付加されている静止画像から、その識別情報を消去してもよい。
【００１３】
このように必要な静止画像のみを残し、不要な静止画像を一括消去することにより、操作を簡単にしつつ容量に制限のある記録媒体を有効に利用することができ、また必要な静止画像を誤って消去してしまう可能性を小さくできる。
【００１４】
さらに、本発明における第１のレリーズ手段と第２のレリーズ手段は、異なる手指で操作されるべく離間した位置に配設されることが好ましい。このようにすることで誤操作を防止でき、誤って通常の静止画像を撮影したいときに動画像の撮影を行ってしまったり、逆に動画像の撮影を行いたいときに静止画像の撮影を行ってしまうという可能性が少なくなる。
【００１５】
また、より好ましくは、例えば第１のレリーズ手段を人差し指で操作される位置に、第２のレリーズ手段を親指で操作される位置にそれぞれ設定することで、従来より広く一般に普及しているスチルカメラとビデオカメラの操作性を継承でき、両カメラを互いに間違えて操作するような可能性を排除できる。
【００１６】
【発明の実施の形態】
以下、図面を参照して本発明の実施の形態を説明する。
図１は、本発明の一実施形態に係る電子カメラの外観図である。この電子カメラは、大きく分けてカメラ本体１とレンズ鏡筒２からなる。カメラ本体１には、光学ファインダ３のほか、操作部として静止画像用レリーズボタン４、動画像用レリーズボタン５、再生ボタン６、プラス・マイナスキー７および消去ボタン８が設けられ、さらに表示部として後述するカラー液晶ディスプレイ（ＬＣＤ）２３、静止画像記録表示用ＬＥＤ２４および動画像記録表示用ＬＥＤ２５が設けられている。
【００１７】
次に、図２を用いて本実施形態に係る電子カメラの内部の詳細な構成を説明する。
図２において、被写体光はレンズ鏡筒２に設けられた撮像レンズ１１を通過した後、絞り１２により光量が制御される。撮像レンズ１１はＡＦモータ１３により駆動され、絞り１２は絞りモータ１５により駆動される。撮像レンズ１１および絞り１２を通過した被写体光はカメラ本体１内に導かれ、カラー固体撮像素子であるＣＣＤ二次元カラーイメージセンサ（以下、単にＣＣＤという）１５に入射する。これによって、ＣＣＤ１５の撮像面上に被写体像が結像される。
【００１８】
ＣＣＤ１５は、光電変換を行う複数の画素を二次元のマトリクス状に配列して撮像面を構成し、さらに撮像面にカラーフィルタを配置したものであり、ＣＣＤドライバ１６によって駆動制御されることにより、撮像面に結像された被写体像に対応した信号電荷を蓄積する。撮像面に蓄積された信号電荷は、画素信号と呼ばれる電気信号としてＣＣＤ１５から読み出される。
【００１９】
ＣＣＤ１５から読み出された画素信号は、Ａ／Ｄ変換器１７によりディジタル信号に変換された後、ＡＥ（自動露出）処理部１８、ＡＦ（自動焦点調整）処理部１９および画像処理部２０に入力される。
【００２０】
ＡＥ処理部１８では、Ａ／Ｄ変換器１７より出力されるディジタル化された画素信号を受け、各画素からの画素信号の累積加算を主体とする演算処理を行い、この累積加算値に基づき被写体の明るさに応じたＡＥ評価値を求める。
【００２１】
ＡＦ処理部１２では、Ａ／Ｄ変換器１７より出力されるディジタル化された画素信号を受けて、例えば１画面分の画素信号の高周波成分をハイパスフィルタにより抽出し、これに対して累積加算等の演算処理を行うことによって高域側の輪郭成分量に対応するＡＦ評価値を算出する。
【００２２】
画像処理部２０では、画素信号に対してオートホワイトバランス、色信号の分離、ＣＤＳ（相関二重サンプリング）その他の処理が施されることにより、所定フォーマットのカラー画像信号が生成される。
【００２３】
画像処理部２０によって生成されたカラー画像信号は、例えばＤ−ＲＡＭからなるバッファメモリ２１に一時的に記憶される。バッファメモリ２１から読み出されるカラー画像信号は表示処理部２２に導かれ、ここで表示出力に適した形態に変換された後、ＴＦＴ方式などのカラー液晶ディスプレイ（ＬＣＤ）２３に供給され、画像として表示される。また、表示処理部２２には静止画像記録表示用ＬＥＤ２４および動画像記録表示用ＬＥＤ２５も接続されている。
【００２４】
バッファメモリ２１にはさらに圧縮／伸長処理部２６が接続され、この圧縮／伸長処理部２６には記録／再生処理部２７が接続されている。記録／再生処理部２７は、記録媒体２８に対して画像データおよび付随するデータを記録したり、記録媒体２８から画像データおよび付随するデータを再生する処理を行う。記録媒体２８は、例えばカード型フラッシュメモリのような半導体メモリにより構成されたメモリカードが一般的に使用されるが、メモリカードに限られるものではなく、例えばハードディスクやフロッピーディスクのような磁気記録媒体等、種々の形態のものを使用できる。
【００２５】
圧縮／伸長処理部２６は、バッファメモリ２１に記憶された画像信号を読み出して圧縮（符号化）処理を行うことにより、記録媒体２８への記録に適した形態とするための圧縮処理部と、記録媒体２８に記録された画像データを読み出して伸長（復号化）処理を行う伸長処理部とからなる。圧縮処理の方式としては、例えばモーションＪＰＥＧ方式が用いられるが、これに限られるものではない。伸長処理された画像信号はバッファメモリ２１に一時記憶され、表示処理部２２を経てカラー液晶ディスプレイ２３で適宜表示される。
【００２６】
システムコントローラ２９は、ＡＥ処理部１８およびＡＦ処理部１９の処理結果と操作部３０からの指令に基づいて各部を制御するものであり、ＣＰＵを用いて構成される。具体的には、システムコントローラ２９は画像処理部２０、バッファメモリ２１、表示処理部２２、圧縮／伸長処理部２６、記録／再生処理部２７、ＡＦモータ１３および絞りモータ１４を駆動するモータドライバ４１，４２の制御を行う。
【００２７】
すなわち、システムコントローラ２９はＡＥ処理部１８で得られたＡＥ評価値に基づいてモータドライバ４２を制御し、絞りモータ１４を介して絞り１２を制御することで光量を制御したり、さらにはＣＣＤドライバ１６を介してＣＣＤ１５の電荷蓄積時間を制御することにより、自動露出（ＡＥ）処理を行う。また、システムコントローラ２９は、ＡＦ処理部１９で得られたＡＦ評価値に基づいてモータドライバ４１を制御し、ＡＦモータ１３を介して撮像レンズ１１を光軸方向に移動させて自動焦点調整（ＡＦ）処理を行う。
【００２８】
操作部３０は、カメラのユーザによる操作に基づいて各種の動作を行わせるための指令信号を発生してシステムコントローラ２９に伝達する。具体的には、操作部３０には撮影指示のためのスイッチとして、第１段レリーズスイッチ３１と第２段レリーズスイッチ３２および動画像レリーズスイッチ３３が設けられている。
【００２９】
第１段レリーズスイッチ３１は、静止画像の撮像動作に先立って行う予備動作であるＡＥ処理およびＡＦ処理を開始させる指令信号を発生させる。第２段レリーズスイッチ３２は、第１段レリーズスイッチ３２により発生される指令信号を受けて静止画像の実際の撮像動作を開始させる指令信号を発生させる。動画像レリーズスイッチ３３は、動画像の撮影の開始および停止を指示するためのものである。
【００３０】
さらに、操作部３０には静止画像や動画像の再生を指示するための再生スイッチ３４と、再生時の再生方向を指示するためのプラス・マイナスキー３５および記録媒体２８に記録された静止画像や動画像の消去を指示するための消去スイッチ３６も設けられている。
【００３１】
図１との対応を説明すると、静止画像レリーズスイッチである第１段レリーズスイッチ３１と第２段レリーズスイッチ３２は、静止画像用レリーズボタン４の押下によりオン状態となるスイッチであり、静止画像用レリーズボタン４を半押し状態にすると、第１段レリーズスイッチ３１のみがオンとなって静止画像の撮影が指示され、システムコントローラ２９による制御で撮影動作に先立つ予備動作であるＡＥ処理およびＡＦ処理が開始される。
【００３２】
静止画像用レリーズボタン４を全押し状態にすると、第２段レリーズスイッチ３２もオンとなり、システムコントローラ２９による制御で静止画像の記録が指示され、記録媒体２８に圧縮処理された静止画像データの記録が行われる。このとき、システムコントローラ２９による表示処理部２２の制御によって、静止画像記録表示用ＬＥＤ２４が点灯され、これによりユーザは静止画像の撮影記録が行われていることを確認することができる。
【００３３】
動画像レリーズスイッチ３３は、動画像用レリーズボタン５の操作によりオン状態となるスイッチであり、この動画像レリーズスイッチ３３がオン状態になると、複数の時間的に連続した静止画像の画像データからなる動画像の画像データの撮影の開始および停止が指示される。この指示に基づきシステムコントローラ２９による制御で撮影された動画像の画像データは、静止画像の画像データと同様にして圧縮処理された後、記録媒体２８に記録される。このとき、システムコントローラ２９による表示処理部２２の制御によって、動画像記録表示用ＬＥＤ２５が点灯され、これによりユーザは動画像の撮影記録が行われていることを確認できる。
【００３４】
ここで、図１に示したように静止画像レリーズボタン４と動画像レリーズボタン５とは、異なる手指で操作されるように離間した位置に配設されているので、これらのレリーズボタン４，５を互いに誤って操作するのを防止できる。特に、静止画像レリーズボタン４は、人差し指で操作される位置に設けられ、動画像レリーズボタン５は親指で操作される位置に設けられているので、従来より広く一般に普及しているスチルカメラとビデオカメラの操作性が継承され、誤操作の可能性をより確実に排除できる。
【００３５】
再生スイッチ３４は、再生ボタン６の押下によりオン状態となるスイッチであり、この再生スイッチ３４のオンによりシステムコントローラ２９による制御で記録媒体２８に記録された画像データの再生が行われ、再生データが伸長処理された後にカラー液晶ディスプレイ２３で画像として表示される。プラス・マイナススイッチ３５は、プラス・マイナスキー７の操作により動作するスイッチであり、これにより再生時の再生方向を順方向と逆方向とに変えることができる。
【００３６】
消去スイッチ３５は、消去ボタン８の押下によりオン状態となるスイッチであり、この消去スイッチ３５のオンにより静止画像の選択消去や、動画像の一括消去を行うことができる。
【００３７】
システムコントローラ２９は、上述した各種の制御のほか、（ａ）静止画像に識別情報を付加するための記録制御、（ｂ）識別情報が付加されている静止画像のみを再生させる再生制御、（ｃ）識別情報の変更設定を行う編集、（ｄ）記録媒体２８上の静止画像の更新記録を行う整理、といった本発明に特有の制御を行う機能を有する。以下、これらの（ａ）（ｂ）（ｃ）（ｄ）の各制御について簡単に説明する。
【００３８】
まず、（ａ）の記録制御では、動画像レリーズボタン４の操作による指示により動画像の撮影が行われている状態で静止画像レリーズボタン５の操作による静止画像の撮影が指示された場合に、記録媒体２８に記録される動画像中の対応する静止画像、つまり静止画像レリーズボタン５が操作された瞬間に撮影される静止画像に識別情報を付加する制御を記録／再生処理部２７に対して行う。なお、本実施形態では上述した識別情報の付加は、対応する静止画像に対して所定のフラグを設定することにより行われる。
【００３９】
（ｂ）の再生制御では、記録媒体２８に記録された動画像の再生時に識別情報が付加された、つまりフラグが設定された静止画像のみを順次再生させる制御を記録／再生処理部２７に対して行う。
【００４０】
（ｃ）の編集では、（ｂ）の再生制御の下での再生時に、ユーザからの指示に基づいて記録媒体２８に記録されている動画像中の静止画像に付加されている識別情報を動画像中の他の静止画像に付加する識別情報に変更設定する。すなわち、動画像中の静止画像に設定されているフラグを他の静止画像に対して適宜書き換える処理を記録／再生処理部２７を介して行う。
【００４１】
（ｄ）の整理では、記録媒体２８に記録されている動画像から、識別情報が付加されていない、つまりフラグが設定されていない静止画像を一括消去すると共に、残るフラグが設定されている静止画像を新たな静止画像として更新記録させる制御を記録／再生処理部２７に対して行う。この際、フラグが設定されている静止画像をこれに設定されているフラグを消去して記録媒体２８に更新記録するようにしてもよい。
【００４２】
次に、図３に示すフローチャートを用いて本実施形態における静止画像および動画像の撮影（記録）動作の手順を説明する。なお、これらの動作の制御はシステムコントローラ２９によって行われる。
【００４３】
まず、ステップＡ１の初期設定の後、静止画像レリーズスイッチ３１，３２がオンかどうかを調べ（ステップＡ２）、静止画像レリーズスイッチ３１，３２が共にオンであれば、このとき動画像レリーズボタン５の操作による指示で動画像の撮影中であるかどうかを調べる（ステップＡ３）。ここで、動画像の撮影中、つまり時間的に連続した複数の静止画像の撮影中であれば、その動画像中の対応する静止画像にフラグを設定し（ステップＡ４）、そうでなければ通常の一枚ずつの静止画像の撮影を行う（ステップＡ５）。
【００４４】
すなわち、ステップＡ４においては、静止画像レリーズスイッチ３１，３２をオンにしたとき、つまり静止画像レリーズボタン４を全押し状態とした瞬間に、動画像として撮影されている静止画像に所望の静止画像であることを示す識別情報であるフラグを設定する。このフラグは、システムコントローラ２９による制御により、動画像を圧縮処理した動画像データ（動画像ファイル）中の対応する静止画像のデータに付加されて、記録媒体２８に記録される。
【００４５】
一方、ステップＡ２で静止画像レリーズスイッチ３１，３２がオンでないときは、動画像レリーズスイッチ３３がオンかどうかを調べ（ステップＡ６）、動画像レリーズスイッチ３３がオンであれば、さらに動画像の撮影中であるかどうかを調べる（ステップＡ７）。ここで、動画像の撮影中でなければ、ユーザが動画像の撮影開始を指示したと判断して動画像の撮影を開始し（ステップＡ８）、動画像の撮影中であれば、ユーザが動画像の撮影停止を指示したと判断して動画像の撮影を停止する（ステップＡ９）。
【００４６】
そして、ステップＡ４，Ａ５，Ａ８，Ａ９の処理が終了する都度、ステップＡ２に戻り、以上の処理を繰り返す。このようにして、動画像の撮影時に図４に示すように、ユーザが希望する静止画像が得られた＜１＞，＜２＞，＜３＞のタイミングで静止画像レリーズボタン４を押下することで、その静止画像にフラグが設定されることにより、所望の静止画像の撮影を行うことができる。
【００４７】
次に、図５に示すフローチャートを用いて、上述のようにして撮影および記録された画像の再生動作の手順を説明する。なお、これらの動作の制御はシステムコントローラ２９によって行われる。
【００４８】
まず、サムネイル画像によるインデックスを表示し（ステップＢ１）、このインデックスに基づきユーザにより選択操作がなされたかどうかを判定する（ステップＢ２）。この判定の結果、選択操作がなされたときは、再生されている画像が動画像か否かを調べ（ステップＢ３）、動画像でなければその画像を静止画像として表示する（ステップＢ４）。この静止画像のそれぞれの表示中に、一定時間内に消去キー８が操作されたかどうかを調べ（ステップＢ５）、消去キー８が操作されれば表示されている静止画像を消去する（ステップＢ６）。
【００４９】
一方、ステップＢ３において再生されている画像が動画像であれば、引き続き連続再生モードが設定されているかどうかを調べ（ステップＢ７）、連続再生モードであれば動画像の再生処理を行う（ステップＢ８）。この動画像の再生処理において、再生速度は実際の速度より遅めでもよい。この動画像再生処理の後、消去キーが操作されたかどうかを調べる（ステップＢ９）。消去キー８が操作されなければ、引き続き再生終了か否かを調べ（ステップＢ１０）、再生終了となるまでステップＢ８の動画像再生処理を継続する。ステップＢ９で消去キー８が操作されると、ステップＢ８で再生処理が行われている動画像の一括消去が行われる（ステップＢ１１）。
ステップＢ７において連続再生モードでないと判定された場合は、以下に示すスキップ再生処理が行われる（ステップＢ１２）。
【００５０】
次に、図６に示すフローチャートを用いて図５のステップＢ１２のスキップ再生処理について詳細に説明する。
スキップ再生処理においては、まず記録媒体２８に記録された動画像ファイルのうち、フラグが設定された静止画像をサーチし（ステップＣ１）、それらの静止画像のみをスキップして再生する（ステップＣ２）。このスキップ再生中に、プラス・マイナスキー７が操作されたかどうかを調べる（ステップＣ３）。
【００５１】
ここで、プラス・マイナスキー７が操作された場合は、その操作結果に従って画像の切り替え表示を行い（ステップＣ４）、かつフラグを書き換える（ステップＣ５）。
【００５２】
すなわち、ステップＣ４においては、プラス・マイナスキー７がプラス方向にｎ回操作された場合は、フラグが設定された静止画像のうち、ステップＣ２で表示されている画像より時間的にｎ枚後の画像が切り替え表示され、またプラス・マイナスキー７がマイナス方向にｍ回操作された場合は、フラグが設定された静止画像のうち、ステップＣ２で表示されている画像より時間的にｍ枚前の画像が切り替え表示される。そして、ステップＣ５において、動画像の撮影時に既にフラグが設定されていた静止画像のフラグが解除され、ステップＣ４で切り替え表示された画像に対して新たにフラグが設定される。
【００５３】
このように静止画像に設定されるフラグを変更することにより、ユーザがより希望する静止画像を選択し直すことができ、実質的にシャッタチャンスを逃すことが少なくなる。
【００５４】
ステップＣ３でプラス・マイナスキー７が操作されなかった場合は、引き続き消去キー８が操作されたかどうかを調べ（ステップＣ６）、消去キー８が操作されればステップＣ２で再生され表示された静止画像に設定されているフラグが解除される（ステップＣ７）。
【００５５】
ステップＣ６で消去キー８が操作されなかった場合は、ステップＣ８において記録媒体２８に記録された動画像ファイルのフラグが設定された静止画像のうちの最終画像の再生表示が終了したと判断されるまで、ステップＣ２〜Ｃ７の処理を繰り返す。
【００５６】
フラグが設定された静止画像の最終画像の再生表示が終了すると、フラグが設定された静止画像を消去するか否かをユーザに対して問い合わせるための消去メニューがカラー液晶ディスプレイ２３で表示される（ステップＣ９）。この消去メニューに対して、ユーザが消去を指示したかどうかを調べ（ステップＣ１０）、消去を指示した場合は、さらに記録媒体２８に記憶された動画像ファイル全体を消去するかどうかをユーザが指示したかどうかを調べる（ステップＣ１１）。
【００５７】
ここで、ステップＣ１１において動画像ファイル全体の消去が指示された場合は、動画像ファイル全体が一括消去され（ステップＣ１２）、そうでない場合は動画像ファイル内のフラグが設定されていない静止画像のみが一括消去され、フラグが設定されている残った静止画像が最終的な静止画像として更新設定される（ステップＣ１３）。ステップＣ１３において、最終的な静止画像に設定されていたフラグを解除してもよい。
【００５８】
このように記録媒体２８に記録されている動画像ファイルから、フラグが設定されていない静止画像を一括消去し、フラグが設定されている残りの静止画像をそれぞれ独立した静止画像として記録媒体２８に更新記録させることにより、煩雑な操作を必要とすることなく、記録媒体２８を有効に利用することができる。さらに、従来のように必要な静止画像を誤って消去することもなくなる。
【００５９】
【発明の効果】
以上説明したように、本発明の電子カメラによれば、動画像の撮影時に動画像中の所望の静止画像に対して識別情報を付加することにより、シャッタチャンスを逃すことなく高画質の静止画像を確実に撮影でき、また、この識別情報を利用して簡単な操作で必要な静止画像のみを確実に残すことが可能となる。
【図面の簡単な説明】
【図１】本発明の一実施形態に係る電子カメラの外観図
【図２】同実施形態に係る電子カメラの詳細な構成を示すブロック図
【図３】同実施形態に係る電子カメラの撮影（記録）動作の処理手順を示すフローチャート
【図４】同実施形態に係る電子カメラの動画像レリーズおよび静止画像レリーズのタイミングを説明するための図
【図５】同実施形態に係る電子カメラの再生（表示）動作の処理手順を示すフローチャート
【図６】同実施形態に係る電子カメラのスキップ再生時の処理手順を示すフローチャート
【符号の説明】
１…カメラ本体
２…レンズ鏡筒
３…光学ファインダ
４…静止画像レリーズボタン
５…動画像レリーズボタン
６…再生ボタン
７…プラス／マイナスキー
８…消去ボタン
１１…撮像レンズ
１２…絞り
１３…ＡＦモータ
１４…絞りモータ
１５…ＣＣＤ（固体撮像素子）
１６…ＣＣＤドライバ
１７…Ａ／Ｄ変換器
１８…自動露光処理部
１９…自動焦点調整処理部
２０…画像処理部
２１…バッファメモリ
２２…表示処理部
２３…カラー液晶ディスプレイ
２４…静止画像記録表示用ＬＥＤ
２５…動画像記録表示用ＬＥＤ
２６…圧縮／伸長処理部
２７…記録／再生処理部
２８…記録媒体
２９…システムコントローラ
３０…表示部
３１，３２…静止画像レリーズスイッチ
３３…動画像レリーズスイッチ
３４…再生スイッチ
３５…プラス／マイナスキー
３６…消去スイッチ
４１，４２…モータドライバ
【図１】
0004253395.tif 000002
【図２】
0004253395.tif 000003
【図３】
0004253395.tif 000004
【図４】
0004253395.tif 000005
【図５】
0004253395.tif 000006
【図６】
0004253395.tif 000007